(57)【要約】【課題】可逆性の画像記録媒体に最適な画像記録条件で画像を記録し、良好な画質を維持することができる画像形成装置を提供する。【解決手段】可逆性の画像記録媒体をセットし、記録すべき所定画像を記録する前に濃度測定用のテスト画像を所定の画像記録条件で記録して濃度測定する（ステップ１００〜１０６）。測定した濃度が許容範囲内か否かを判定し、許容範囲内の場合にはそのときの画像記録条件で所定画像を画像記録媒体に記録して排出トレイに排出する（ステップ１０８〜１１２）。一方、濃度が許容範囲内でない場合には、画像記録条件を変更して（ステップ１０８，１１４，１１８，１２０）、再度テスト画像を記録して濃度測定する。濃度測定を閾値になるまで行なっても濃度が許容範囲内にならない場合には、画像記録媒体を寿命と判断してエラー用の排出トレイに排出する（ステップ１０８，１１４，１１６）。【選択図】        図６
2004195771.tif 000002
【特許請求の範囲】
【請求項１】
可逆性の画像記録媒体に画像を記録する記録手段と、
前記画像記録媒体のテスト用のテスト画像を前記画像記録媒体に記録するように前記記録手段を制御する制御手段と、
前記テスト画像を検出する検出手段と、
前記検出手段の検出結果が許容範囲内か否かを判定する判定手段と、
を備えた画像形成装置。
【請求項２】
前記制御手段は、前記画像記録媒体に記録すべき所定画像を前記画像表示媒体に記録する前に、前記テスト画像を前記画像記録媒体に記録するように前記記録手段を制御し、前記検出結果が前記許容範囲外の場合に、前記所定画像を前記画像記録媒体に記録するときの画像記録条件を前記検出結果に基づいて設定することを特徴とする請求項１記載の画像形成装置。
【請求項３】
前記制御手段は、前記画像記録媒体に記録すべき所定画像及び前記テスト画像を前記画像記録媒体に同時に記録するように前記記録手段を制御し、前記検出結果が前記許容範囲外の場合に、前記所定画像を前記画像記録媒体に記録するときの画像記録条件を前記検出結果に基づいて設定することを特徴とする請求項１記載の画像形成装置。
【請求項４】
前記制御手段は、前記画像記録条件を複数回変更して前記テスト画像の記録及び検出を行なっても前記検出手段の検出結果が許容範囲外の場合には、前記画像記録媒体を媒体不良用の排出トレイに排出させることを特徴とする請求項２又は請求項３記載の画像形成装置。
【請求項５】
前記制御手段は、前記テスト画像を複数の異なる画像記録条件で前記画像記録媒体に同時に記録するように前記記録手段を制御し、前記複数の異なる画像記録条件で記録されたテスト画像の各々の検出結果に基づいて前記画像記録条件を設定することを特徴とする請求項２又は請求項３記載の画像形成装置。
【請求項６】
前記画像記録媒体は識別符号が記憶された記憶媒体を備えており、前記記憶媒体に記憶された前記識別符号を読み取る読み取り手段と、前記画像記録媒体に記録すべき所定画像を記録したときの画像記録条件及び前記検出結果の履歴を記憶するための履歴記憶手段と、をさらに備え、
前記制御手段は、前記画像記録条件及び前記検出結果を前記識別符号と対応付けて前記履歴記憶手段に記憶することを特徴とする請求項１乃至請求項５の何れか１項に記載の画像形成装置。
【請求項７】
前記制御手段は、前記履歴記憶手段に記憶された履歴に基づいて前記所定画像を記録するときの画像記録条件を設定することを特徴とする請求項６記載の画像形成装置。
【請求項８】
前記画像記録媒体は記憶媒体を備えており、前記制御手段は、前記画像記録媒体に記録すべき所定画像を記録したときの画像記録条件及び検出結果を前記記憶媒体に記憶させることを特徴とする請求項１乃至請求項５の何れか１項に記載の画像形成装置。
【請求項９】
前記制御手段は、前記記憶媒体に記憶された画像記録条件及び検出結果に基づいて前記所定画像を記録するときの画像記録条件を設定することを特徴とする請求項８記載の画像形成装置。
【請求項１０】
前記検出手段は、前記テスト画像の表示濃度を検出することを特徴とする請求項１乃至請求項９の何れか１項に記載の画像形成装置。
【請求項１１】
前記画像記録媒体は、光信号により画像を書き換え可能な画像記録媒体であることを特徴とする請求項１乃至請求項１０の何れか１項に記載の画像形成装置。
【発明の詳細な説明】
【０００１】
【発明の属する技術分野】
本発明は画像形成装置に係り、特に、可逆性の画像記録媒体に画像を形成する複写機やプリンタ等の画像形成装置に関する。
【０００２】
【従来の技術】
従来、複写機やプリンタ等の画像形成装置が用いる画像記録媒体は、感熱紙やＰＰＣ用紙（普通紙）等の様に、一度画像を記録すると、その画像を消去することができず再利用することができないものが用いられるのが一般的であった。
【０００３】
このため、画像記録媒体の材料となっている森林資源等が浪費され、環境破壊や地球資源の問題となって顕在化してきている。
【０００４】
この問題を解決するため、画像記録媒体上に記録された画像を消去して再度画像を記録することができる可逆性を備えた再利用可能な画像記録媒体を用いた画像形成装置が提案されている。
【０００５】
例えば、特許文献１には、熱によって画像の書き換えが可能な可逆性感熱記録媒体を用いた画像形成装置が記載されており、特許文献２には、光によって画像の書き換えが可能な可逆性の表示記録媒体を利用した画像形成装置が記載されている。
【０００６】
【特許文献１】
特開平５−５８０３３号公報
【特許文献２】
特開２００１−３０１２３３号公報
【０００７】
【発明が解決しようとする課題】
しかしながら、 上記従来技術の可逆性の画像記録媒体は、何度も繰り返し使用されていく間に画像の劣化が発生する。このため、適正な画質を得るためには、その画像記録媒体ごとに、その画像記録媒体の特性に合った書き込み条件を選択する必要がある。また、画像記録媒体がある一定回数以上繰り返して使用されると、書き込み条件を調整しても規定画質に達しない場合があり、この場合は、画像記録媒体の寿命と判断される。
【０００８】
従来の感熱紙やＰＰＣ用紙等の画像記録媒体を使用した画像形成装置の場合、画像記録媒体は一回使用されるだけであって画像記録媒体の寿命という概念がなく、寿命があるのは画像形成装置本体側の部品のみであるため、画質の劣化や装置の寿命に対して比較的管理が行いやすかった。
【０００９】
しかし、繰り返し書き換え可能な可逆性の画像記録媒体の場合、画像記録媒体ごとにその使用履歴が異なり、最適な画像記録条件を設定したり、画像記録媒体の寿命を判断することが困難であり、良好な画質を維持するのが困難である、という問題があった。
【００１０】
本発明は、上記問題点を解決すべく成されたものであり、可逆性の画像記録媒体に最適な画像記録条件で画像を記録し、良好な画質を維持することができる画像形成装置を提供することを目的とする。
【００１１】
【課題を解決するための手段】
上記課題を解決するため、請求項１記載の発明は、可逆性の画像記録媒体に画像を記録する記録手段と、前記画像記録媒体のテスト用のテスト画像を前記画像記録媒体に記録するように前記記録手段を制御する制御手段と、前記テスト画像を検出する検出手段と、前記検出手段の検出結果が許容範囲内か否かを判定する判定手段と、を備えたことを特徴とする。
【００１２】
この発明によれば、記録手段は、可逆性の画像記録媒体に画像を記録する。可逆性の画像記録媒体とは、可視的に画像を繰り返し書き換えることが可能で、かつ画像のメモリ性を有する再利用可能な画像記録媒体をいう。ここで、メモリ性を有するとは、画像記録後に画像記録媒体に対して外的な作用を加えなくとも記録された画像を保持できることをいう。
【００１３】
このような可逆性を有する画像記録媒体としては、前記特許文献１に記載された熱によって画像の書き換えが可能な可逆性感熱記録シートや、前記特許文献２に記載された光信号によって画像の書き換えが可能な可逆性の表示記録媒体がある。また、特開２００１−３１２２２５号公報に記載されたような、色及び帯電特性が異なる複数種類の粒子群が一対の基板間に封入された構成の画像表示媒体であって、基板間に電圧を印加して粒子群を画像に応じて適宜移動させることにより画像を表示する画像表示媒体も含まれる。
【００１４】
従って、例えば画像記録媒体として可逆性感熱記録シートを用いた場合には、記録手段は、画素に相当する複数の発熱体を備えたサーマルヘッド等を含んで構成される。また、画像記録媒体として光信号によって画像の書き換えが可能な可逆性の表示記録媒体を用いた場合には、記録手段は、記録すべき画像に応じた光信号を表示記録媒体に向けて出射する光出力デバイス及び表示記録媒体に画像に応じた電圧を印加する電圧印加手段等を含んで構成される。また、画像記録媒体として色及び帯電特性が異なる複数種類の粒子群が一対の基板間に封入された構成の画像表示媒体を用いた場合には、記録手段は、画像表示媒体の基板間に画像に応じた電圧を印加する電圧印加手段等を含んで構成される。
【００１５】
制御手段は、画像記録媒体のテスト用のテスト画像を画像記録媒体に記録するように記録手段を制御する。テスト画像は、画像記録媒体に良好に画像が記録されるか否かを確認するための画像であり、例えば濃度を確認するための画像とすることができる。このテスト画像は、検出手段によって検出される。判定手段は、検出手段の検出結果が許容範囲内か否か、すなわち良好な画質で画像を記録すことができるか否かを判定する。
【００１６】
このように、テスト画像を可逆性の画像記録媒体に記録し、このテスト画像の検出結果が許容範囲内か否かを判定するので、判定結果に基づいて最適な画像記録条件を設定することが可能となる。これにより、画像記録媒体に繰り返し画像が書き込まれた場合でも良好な画質を維持することが可能となる。
【００１７】
なお、画像記録条件は、画像記録媒体として可逆性感熱記録シートを用いた場合には、サーマルヘッドの発熱体に供給する熱量等が含まれる。また、画像記録媒体として光信号によって画像の書き換えが可能な可逆性の表示記録媒体を用いた場合には、画像記録条件は、表示記録媒体に向けて出射する光信号の光量や表示記録媒体に印加する電圧等が含まれる。また、画像記録媒体として色及び帯電特性が異なる複数種類の粒子群が一対の基板間に封入された構成の画像表示媒体を用いた場合には、画像記録条件は、画像表示媒体の基板間に印加する電圧等が含まれる。
請求項２記載の発明は、前記制御手段は、前記画像記録媒体に記録すべき所定画像を前記画像表示媒体に記録する前に、前記テスト画像を前記画像記録媒体に記録するように前記記録手段を制御し、前記検出結果が前記許容範囲外の場合に、前記所定画像を前記画像記録媒体に記録するときの画像記録条件を前記検出結果に基づいて設定する設定手段をさらに備えたことを特徴とする。
【００１８】
この発明によれは、制御手段は、画像記録媒体に記録すべき所定画像を画像表示媒体に記録する前に、テスト画像を画像記録媒体に記録するように記録手段を制御する。
【００１９】
そして、判定手段により検出手段によるテスト画像の検出結果が許容範囲外と判定された場合には、所定画像を画像記録媒体に記録するときの画像記録条件を検出結果に基づいて設定する。例えば、検出結果が許容範囲外の場合には、画像記録条件を変更してテスト画像を再度記録し、上記と同様に再度判定する。これを検出結果が許容範囲内になるまで繰り返し、許容範囲内になったときの画像記録条件を所定画像を記録するときの画像記録条件として設定する。
【００２０】
そして、検出結果が許容範囲内の場合には、テスト画像を記録したときの画像記録条件で、画像記録媒体に記録すべき所定画像を記録する。
【００２１】
このように、テスト画像の検出結果が許容範囲外の場合に、画像記録条件を調整してから所定画像を記録するため、繰り返し画像が記録された場合でも良好な画質を維持することができる。
【００２２】
請求項３記載の発明は、前記制御手段は、前記画像記録媒体に記録すべき所定画像及び前記テスト画像を前記画像記録媒体に同時に記録するように前記記録手段を制御し、前記検出結果が前記許容範囲外の場合に、前記所定画像を前記画像記録媒体に記録するときの画像記録条件を前記検出結果に基づいて設定することを特徴とする。
【００２３】
この発明によれば、制御手段は、画像記録媒体に記録すべき所定画像及びテスト画像を画像記録媒体に同時に記録するように記録手段を制御する。そして、判定手段により検出手段によるテスト画像の検出結果が許容範囲外と判定された場合には、所定画像を画像記録媒体に記録するときの画像記録条件を検出結果に基づいて設定する。例えば、検出結果が許容範囲外の場合には、画像記録条件を変更し、新たに設定された画像記録条件でテスト画像及び所定画像を同じ画像記録媒体に再度記録し、上記と同様に再度判定する。これを検出結果が許容範囲内になるまで繰り返す。
【００２４】
そして、検出結果が許容範囲内の場合には、テスト画像を消去して所定画像のみが記録された状態とする。
【００２５】
このように、テスト画像の検出結果が許容範囲外の場合に、画像記録条件を調整して再度テスト画像及び所定画像を記録するため、繰り返し画像が記録された場合でも良好な画質を維持することができる。
【００２６】
なお、検出結果が許容範囲外の場合には、画像記録条件を変更してテスト画像及び所定画像を別の画像記録媒体に記録するようにしてもよい。また、検出結果が許容範囲内の場合には、別の画像記録媒体に所定画像のみを記録するようにしてもよい。
【００２７】
請求項４記載の発明は、前記制御手段は、前記画像記録条件を複数回変更して前記テスト画像の記録及び検出を行なっても前記検出手段の検出結果が許容範囲外の場合には、前記画像記録媒体を媒体不良用の排出トレイに排出させることを特徴とする。
【００２８】
この発明によれば、画像記録条件を繰り返し変更してテスト画像の記録及び検出を行なっても、検出手段によるテスト画像の検出結果が許容範囲外の場合には、画像記録媒体が不良であると判断する。この画像記録条件の変更は、画像記録条件の変更可能な範囲内で複数回行なう。すなわち、変更可能な画像記録条件の範囲では検出結果が許容範囲内とならない場合に画像記録媒体が不良であると判断する。
【００２９】
そして、画像記録媒体が不良であると判断された場合には、画像記録媒体を、正常な画像記録媒体が排出されるトレイとは別の媒体不良用の排出トレイに排出させる。これにより、不良の画像記録媒体と正常な画像記録媒体が混在するのを防ぐことができる。
【００３０】
請求項５記載の発明は、前記制御手段は、前記テスト画像を複数の異なる画像記録条件で前記画像記録媒体に同時に記録するように前記記録手段を制御し、前記複数の異なる画像記録条件で記録されたテスト画像の各々の検出結果に基づいて前記画像記録条件を設定することを特徴とする。
【００３１】
この発明によれば、制御手段は、テスト画像を複数の異なる画像記録条件で画像記録媒体に同時に記録するように記録手段を制御する。複数のテスト画像は、検出手段により各々検出される。そして、判定手段により各々の検出結果が許容範囲内か否かが判定される。
【００３２】
そして、制御手段は、複数の異なる画像記録条件で記録されたテスト画像の各々の検出結果に基づいて画像記録条件を設定する。具体的には、例えば各々の検出結果のうち許容範囲内となる検出結果が複数存在する場合には、それらのうち最も良い検出結果に対応する画像記録条件を、所定画像を記録するときの画像記録条件として設定する。一方、何れの検出結果も許容範囲内にない場合には、画像記録媒体が不良であると判断し、例えば媒体不良用の排出トレイに排出する。
【００３３】
このように、最初から画像記録条件が異なる複数のテスト画像を画像記録媒体に記録し、各々の検出結果に基づいて画像記録条件を設定するので、速やかに最適な画像記録条件を設定することが可能となる。
【００３４】
請求項６記載の発明は、前記画像記録媒体は識別符号が記憶された記憶媒体を備えており、前記画像記録媒体に記録すべき所定画像を記録したときの画像記録条件及び前記検出結果の履歴を記憶するための履歴記憶手段と、前記記憶媒体に記憶された前記識別符号を読み取る読み取り手段と、をさらに備え、前記制御手段は、前記画像記録条件及び前記検出結果を前記識別符号と対応付けて前記履歴記憶手段に記憶することを特徴とする。
【００３５】
この発明によれば、画像記録媒体は、識別符号が記憶された記憶媒体を備えている。すなわち、画像記録媒体は、その画像記録媒体を表す固有の識別符号が記憶された記憶媒体を備えている。記憶媒体は、読み取り手段によって接触又は非接触により外部から読み取り可能なものを用いることができる。
【００３６】
制御手段は、読み取り手段によって読み取った識別符号と対応付けて、所定画像を記録したときの画像記録条件及び検出結果を装置側の履歴記憶手段に記憶する。この検出結果及び画像記録条件が逐次記憶されていくことにより、検出結果及び画像記録条件の履歴が形成されていき、画像記録媒体毎に画像記録条件や検出結果を管理することができる。
【００３７】
請求項７記載の発明は、前記制御手段は、前記履歴記憶手段に記憶された履歴に基づいて前記所定画像を記録するときの画像記録条件を設定することを特徴とする。
【００３８】
この発明によれば、制御手段は、履歴、すなわち過去の画像記録条件や検出結果の履歴に基づいて画像記録条件を設定する。具体的には、画像記録条件や検出結果の変化の傾向を求め、求めた傾向から画像記録条件を設定する。これにより、最適な画像記録条件を速やかに設定することが可能となる。なお、履歴から画像記録媒体の寿命を判断することも可能となる。
【００３９】
請求項８記載の発明は、前記画像記録媒体は記憶媒体を備えており、前記制御手段は、前記画像記録媒体に記録すべき所定画像を記録したときの画像記録条件及び検出結果を前記記憶媒体に記憶させることを特徴とする。
【００４０】
この発明によれば、装置側ではなく、画像記録媒体側に画像記録条件及び検出結果を記録する。これにより、他の装置でもその画像記録媒体の過去の画像記録条件や検出結果を知ることができる。
【００４１】
請求項９記載の発明は、前記制御手段は、前記記憶媒体に記憶された画像記録条件及び検出結果に基づいて前記所定画像を記録するときの画像記録条件を設定することを特徴とする。
【００４２】
この発明によれば、画像記録媒体の記憶手段に記憶された過去の画像記録条件及び検出結果から画像記録条件を設定するので、画像記録条件を適切に設定することが可能になると共に、寿命を予測することも可能となる。
【００４３】
請求項１０記載の発明は、前記検出手段は、前記テスト画像の表示濃度を検出することを特徴とする。
【００４４】
この発明によれば、制御手段は、例えば記録可能な色の最高濃度のテスト画像を画像記録媒体に記録する。これは記録可能な色の全てについて行なうのが好ましい。そして、検出手段は、テスト画像の表示濃度を検出する。このように、表示濃度を検出し、その検出結果に基づいて画像記録条件を設定するため、繰り返し画像を書き換えた場合でも、常に良好な濃度を保つことができ、良好な画質を維持することができる。
【００４５】
請求項１１記載の発明は、前記画像記録媒体は、光信号により画像を書き換え可能な画像記録媒体であることを特徴とする。
【００４６】
光信号による画像の書込みは感熱紙に画像を記録する場合と比較して高速に書込みができるため、装置のスループットを向上させることができる。
【００４７】
【発明の実施の形態】
（第１実施形態）
以下、図面を参照して本発明の第１実施形態について詳細に説明する。
【００４８】
図１には、本発明が適用された画像形成装置１０のブロック図を示した。図１に示すように、画像形成装置１０は、制御部１２、記録装置１４、入力部１６、検出部１８、排出機構２０、排出トレイ２２、エラー用排出トレイ２４、搬送機構２６、タイマ２８、温度センサ３０、湿度センサ３２、メモリ３４等を含んで構成されている。
【００４９】
入力部１６は、画像情報を入力するためのインターフェースであり、入力部１６により入力された画像情報は制御部１２により記録装置１４へ出力される。
【００５０】
記録装置１４は、制御部１２からの指示によって動作し、入力部１６により入力された画像情報に基づいて、後述する可逆性の画像記録媒体に画像を記録する。本実施形態では、可逆性の画像記録媒体として光信号によって画像の書き換えが可能な画像記録媒体を用いた場合について説明する。
【００５１】
画像記録媒体及び記録装置１４としては、前記特許文献２に記載されたものを用いることができる。図２には、このような画像記録媒体４０の断面図を示した。
【００５２】
図２に示すように、画像記録媒体４０はシート状に形成されており、一対の基板４２間に挟まれた光感応性層である光導電層４４、及び遮光層４６、及び表示層４８とから構成される。また、光導電層４４は電荷発生層４４Ａ、電荷輸送層４４Ｂ、電荷発生層４４Ｃの各層をこの順に積層して構成される。
【００５３】
基板４２は、例えば片面に酸化インジウム錫（ＩＴＯ）電極を内側にそれぞれ備えたＰＥＴフィルムからなる。表示層４８は、例えば正の誘電率異方性を有するネマチック液晶により構成される。
【００５４】
図３には、このような画像記録媒体４０に画像を記録する記録装置１４を示した。記録装置１４は、制御部１２から入力された画像情報に基づく画像を画像記録媒体４０に光信号により書き込むための装置である。
【００５５】
図３に示すように、記録装置１４は、データ処理部５０を備えており、入力部１６から入力された画像情報は、制御部１２によってデータ処理部５０に出力される。
【００５６】
この画像情報はデータ処理部５０の演算回路５０Ａで変換処理され、後述する光出力デバイス５２に適合した光出力デバイス用情報信号に変換される。即ち、画像情報の画素数が、光出力デバイス５２で一括露光が可能な画素数より多いか、または少ないかにより、光出力デバイス５２の画素数に適合するように、適宜データの補間、省略という演算が行われる。より具体的には、画像情報の画素数が光出力デバイス５２で一括露光が可能な画素数よりも多い場合には、画像情報の省略という演算が行われる。反対に、画像情報の画素数が光出力デバイス５２で一括露光が可能な画素数よりも少ない場合には、画像情報の補間という演算が行われる。演算された情報は、メモリ５０Ｂに格納される。
【００５７】
また、記録装置１４は、データ処理部５０で変換処理された光出力デバイス用情報信号に基づいて、光学パターンを形成し、この光学パターンを出射する光出力デバイス５２を備えている。
【００５８】
この光出力デバイス５２は、光学パターン出射面となる透過型ＬＣＤ５４を備えている。透過型ＬＣＤ５４は光出力デバイス制御部５６に接続され、この光出力デバイス制御部５６により駆動制御されるようになっている。
【００５９】
透過型ＬＣＤ５４の背面には導光板と導光板端部に冷陰極管を備えた通常のＬＣＤ用のバックライト５８が設けられている。バックライト５８は、バックライト制御回路６０に接続され、これにより駆動制御されている。
【００６０】
また、透過型ＬＣＤ５４の上部には２次元マイクロレンズアレイ６２が配置されている。２次元マイクロレンズアレイ６２は、光出力デバイス用情報信号に基づいて透過型ＬＣＤ５４に形成される光学パターンを画像記録媒体４０の光導電層４４面に結像するようにスペーサ（図示省略）によって位置決めされている。
【００６１】
特に画像記録媒体４０を配置する側のスペーサには、２次元マイクロレンズアレイ６２の上部を覆うように透明支持プレート６４が置かれており、画像記録媒体４０を透明支持プレート６４上に密着させておくことにより、自然に焦点位置が合うようになっている。なお、画像記録媒体４０の光導電層４４側の基板４２が透明支持プレート６４と対向するように、透明支持プレート６４上に画像記録媒体４０が配置されている。
【００６２】
画像記録媒体４０の構成として、光導電層４４と表示層４８との組合わせを用いた場合は、記録装置１４と画像記録媒体４０とを電気的に接続して、画像記録媒体４０の基板４２上に形成されたＩＴＯ電極に電圧を印加する手段が必要となる。そこで、記録装置１４には電圧印加手段６６が設けられている。
【００６３】
この電圧印加手段６６は、記録装置１４の光出力デバイス５２と同期したタイミングで画像記録媒体４０の表示層４８の駆動に必要な電圧パルスを前記ＩＴＯ電極に印加するようになっている。電圧パルスはＡＣ電源及びＤＣ電源を含む電源５６Ｂから生成される。なお、画像記録媒体４０の基板４２上に形成されたＩＴＯ電極と電圧印加手段６６とは着脱自在に構成される。
【００６４】
なお、電圧パルスの作成は、ＡＣ電源を基に変圧や波形の整形を行ってもよく、電池などのバッテリーから供給されるＤＣ電源を手動でＯＮ／ＯＦＦスイッチングしてもよい。また、ＤＣ電源からスイッチング回路を用いて必要な波形のパルスを生成してもよい。そのようなパルス生成には、例えば、ＲＯＭのような波形記憶手段とＤＡ変換手段と制御手段とを有し、電圧印加時にＲＯＭから読み出した波形をＤＡ変換して供給する回路を用いることができる。また、パルス発生回路のような電気回路的な方式でパルスを発生させる手段等の駆動パルスを印加する手段を用いることができる。更に、電圧印加手段６６と光出力デバイス５２の露光タイミングとを同期させるために、露光状態や光出力デバイス５２の駆動状態を検出する電気的なトリガーに基づいて画像記録媒体４０への電圧印加を行っても良い。
【００６５】
以下、記録装置１４を具現化した一例を図４を参照して説明する。
【００６６】
記録装置１４の箱型のケース６８の上面には矩形状の開口部７０が設けられており、この開口部７０に透明ガラス板７２が嵌め込まれ表示窓７４となっている。ケース６８の中は上下２層に分割されており、このうちの下層は後述する画像記録媒体４０を格納する格納部７６となっている。格納部７６の一端（図４の左端）には、画像記録媒体４０を排出する排出口７８が設けられ、この排出口７８の近傍にはフィードローラ８０が配置されている。そして、このフィードローラ８０の駆動力によって格納部７６の画像記録媒体４０が１枚づつ取出可能となっている。
【００６７】
一方、ケース６８の上層には画像を表示する光出力デバイス５２が設けられている。すなわち、ケース６８の上層にはバックライト５８等が設けられている。そして、透明ガラス板７２の直下には画像記録媒体４０の配置スペース８２が設けられ、この配置スペース８２の両端には搬送ローラ対８４、８６がそれぞれ設けられている。この搬送ローラ対８４、８６の近傍側壁には、画像記録媒体４０の挿入口８８、および排出口９０が設けられている。
【００６８】
格納部７６から取り出された画像記録媒体４０は、図示しない搬送機構により、図４の矢印Ａ方向から挿入口８８へ挿入される。これにより、搬送ローラ対８４の駆動力によって画像記録媒体４０が配置スペース８２に、透明ガラス板７２と略平行に位置決めされるようになっている。この状態で、光出力デバイス制御部５６により、入力された画像情報に基づいて光出力デバイス５２を制御すると共に、電圧印加手段６６により画像記録媒体４０に電圧を印加することにより、画像に対応した光が画像記録媒体４０に露光され、画像が形成される。
【００６９】
画像が記録された画像記録媒体４０は、右側の搬送ローラ対８６の駆動力によって、画像が表示された状態で排出口９０から排出される。
【００７０】
詳細は後述するが、記録装置１４から排出された画像記録媒体４０は、図５に示すように検出部１８の位置まで搬送され、必要に応じて画像記録媒体４０に記録されたテスト画像の検出が行なわれる。そして、画像記録媒体４０の搬送経路が検出結果に応じて経路切替機構９２により切替えられる。
【００７１】
経路切替機構９２は、画像記録媒体４０の搬送経路を搬送経路９４Ａ又は搬送経路９４Ｂに切替える。搬送経路９４Ａが選択された場合には、画像記録媒体４０は、搬送ローラ対９５、９６の駆動力により再び記録装置１４内に搬送される。搬送経路９４Ｂが選択された場合には、画像記録媒体４０は、排出機構２０内に搬送され、検出結果に応じて排出トレイ２２又はエラー用排出トレイ２４の何れかに排出される。なお、経路切替機構９２、搬送ローラ対９５、９６等は搬送機構２６の一部を構成する。
【００７２】
検出部１８は、各色、例えば白、黒、イエロー、マゼンダ、シアン、赤、緑、青の分光反射濃度を検出することができる濃度センサを含んで構成される。
【００７３】
タイマ２８は、現在時刻を取得するためのものである。温度センサ３０は装置周辺の温度を検出するためのものである。湿度センサ３２は装置周辺の湿度を検出するためのものである。メモリ３４は、後述する制御ルーチンのプログラムや、各種データを記憶するためのもものである。
【００７４】
なお、制御部１２は本発明の制御手段及び判定手段に相当し、記録装置１４は本発明の記録手段に相当し、検出部１８は本発明の検出手段に相当し、エラー用排出トレイ２４は本発明の媒体不良用の排出トレイに相当する。
【００７５】
次に、本実施形態の作用として、制御部１２で実行される制御ルーチンについて図６に示すフローチャートを参照して説明する。
【００７６】
まず、ステップ１００では、後述する濃度測定を何回測定したかをカウントするためのカウンタＣを初期化する。ここでは、カウンタＣに‘１’を代入する。
【００７７】
ステップ１０２では、画像記録媒体４０が格納部７６から配置スペース８２に配置されるように搬送機構２６を制御する。
【００７８】
ステップ１０４では、記録する画像が白黒画像であれば、図７（Ａ）に示すような白及び黒の濃度測定用パッチＷ、ＢＫを含むテスト画像が画像記録媒体４０に記録されるように記録装置１４を制御する。なお、記録する画像がカラー画像であれば、図７（Ｂ）に示すような白及び黒の濃度測定用パッチＷ、Ｂｋに加えてイエロー、マゼンダ、シアンの濃度測定用パッチＹ、Ｍ、Ｃを含むテスト画像が画像記録媒体４０に記録されるように記録装置１４を制御する。記録装置１４は、予め定めた画像記録条件でテスト画像を画像記録媒体４０に記録する。画像記録条件は、本実施形態では電圧印加手段６６により画像記録媒体４０に印加される電圧、光出力デバイス５２が出力する光学パターンの光量である。
【００７９】
具体的には、制御部１２は、図７（Ａ）に示すようなテスト画像の画像情報を記録装置１４へ出力し、テスト画像の記録を指示する。これにより、データ処理部５０にテスト画像の画像情報が入力され、演算回路５０Ａで所定の演算が施されたあと、メモリ５０Ｂに格納される。そして、光出力デバイス制御部５６の駆動回路５６Ａが、データ処理部５０のメモリ５０Ｂから光出力デバイス用情報信号を読み出す。
【００８０】
続いて、駆動回路５６Ａは、その光出力デバイス用情報信号に従って、光出力デバイス５２の透過型ＬＣＤ５４及びバックライト５８へ駆動信号及び点灯信号を供給する。ここで、バックライト５８は一旦点灯すると設定された時間はＯＦＦ信号が来ない限り点灯を継続し、光書き込み画像を更新する度にＯＮ、ＯＦＦしないように設定されている。
【００８１】
このように透過型ＬＣＤ５４及びバックライト５８が駆動されることにより、光出力デバイス５２はテスト画像に対応した光学パターンを出射する。これにより、テスト画像に応じた光学パターンが画像記録媒体４０の光導電層４４に照射された状態となる。但し、この段階では画像記録媒体４０の基板４２の内面に形成されたＩＴＯ電極には電圧は供給されておらず、画像の複写は行われていない。
【００８２】
次に、電圧印加手段６６が画像記録媒体４０の電極端子に所定の電圧（例えば、矩形波のバイアス電圧パルス）を印加する。所定の電圧が印加されると、光学パターンに従った反射画像が画像記録媒体４０の表示層４８に記録される。詳細には、この電圧が印加（バイアス電圧パルスが供給）されると、光導電層４４に光出力デバイス５２からの露光パターンに応じたインピーダンス変化が誘起される。そして、このインピーダンス変化が誘起された光導電層４４に積層された表示層４８に、選択的に電圧が印加された状態となる。この状態で、画像記録媒体４０全体への電圧印加を終了し、光出力デバイス５２による露光を終了する。露光が終了し、電圧印加を解除した表示層４８には露光パターンに従ってテスト画像が反射画像として画像記録媒体４０に記録される。テスト画像が記録された画像記録媒体４０は、メモリ性を有し、電圧印加用の端子を外しても記録装置１４から切り離された状態で、無電源でその表示内容を維持することができる。
【００８３】
テスト画像が記録された画像記録媒体４０は、搬送機構２６によって検出部１８の位置まで搬送されて停止する。
【００８４】
ステップ１０６では、各濃度測定用パッチの濃度が検出部１８によって検出されるように検出部１８を制御する。
【００８５】
次のステップ１０８では、測定した濃度が許容範囲内か否かを各濃度測定用パッチの各々について判定する。そして、各々測定した濃度が全て許容範囲内の場合にはステップ１１０へ移行し、測定した濃度が許容範囲外の色が存在する場合にはステップ１１４へ移行する。
【００８６】
ステップ１１０では、画像記録媒体４０に記録すべき所定画像が画像記録媒体４０に記録されるように記録装置１４を制御する。すなわち、テスト画像のときと同様の処理により所定画像を画像記録媒体４０に記録する。なお、所定画像は上書きされるので、テスト画像が残ることはない。
【００８７】
次に、ステップ１１２では、所定画像が記録された画像記録媒体４０が、正常な画像記録媒体４０が排出するための排出トレイ２２に排出されるように、経路切替機構９２及び排出機構２０を制御する。すなわち、搬送経路９４Ｂが選択されるように経路切替機構９２を制御する。これにより、所定画像が記録された画像記録媒体４０は搬送経路９４Ｂ上を搬送される。そして、排出機構２０を制御して画像記録媒体４０を排出トレイ２２に排出させる。
【００８８】
一方、ステップ１１４では、カウンタＣが閾値以上か否かが判断される。この閾値は、カウンタＣの値がこの閾値以上の場合には画像記録媒体４０が寿命であると判断できる値に設定される。
【００８９】
そして、カウンタＣが閾値以上の場合にはステップ１１６へ移行し、カウンタＣが閾値未満の場合には、ステップステップ１１８へ移行する。
【００９０】
ステップ１１６では、画像記録媒体４０が寿命であると判断して、画像記録媒体４０がエラー用排出トレイ２４に排出されるように経路切替機構９２及び排出機構２０を制御する。これにより、寿命の画像記録媒体４０が正常な画像記録媒体４０と別の排出トレイに排出される。そして、ステップ１００へ戻り、別の画像記録媒体について上記と同様の処理を行なう。
【００９１】
一方、ステップ１１８では、画像記録条件、すなわち光出力デバイス５２から出力される光の光量及び電圧印加手段６６が出力する電圧の電圧値を調整する。すなわち、測定した濃度が許容範囲よりも低い場合には、濃度が高くなるように光出力デバイス５２から出力される光の光量及び電圧印加手段６６が出力する電圧の電圧値を調整し、測定した濃度が許容範囲よりも高い場合には、濃度が低くなるように光出力デバイス５２から出力される光の光量及び電圧印加手段６６が出力する電圧の電圧値を調整する。なお、画像記録条件と濃度との関係を表すルックアップテーブルを予めメモリ３４に記憶しておき、このルックアップテーブルに従って画像記録条件を変更するようにしてもよい。
【００９２】
ステップ１２０では、カウンタＣをインクリメントし、ステップ１０４へ戻る。これにより、新たな画像記録条件で上記と同様の濃度測定が行なわれる。そして、全ての色の濃度が許容範囲内になった場合には画像記録媒体４０が排出トレイ２２に排出され、何れか１つの色でも濃度が許容範囲外になった場合には、画像記録媒体４０はエラー用排出トレイ２４に排出される。
【００９３】
このように、記録すべき所定画像を記録する前に、テスト画像を記録してこれの濃度を検出して許容範囲内か否かを判定し、許容範囲内の場合に所定画像を記録するので、判定結果に基づいて最適な画像記録条件を設定することができる。このため、画像記録媒体４０に繰り返し画像が書き込まれ、その特性が変化したような場合でも良好な画質を維持することができる。
【００９４】
なお、本実施形態では画像記録媒体として光信号により画像の記録を行なう画像記録媒体を用いた場合について説明したが、これに限らず、可逆性の画像記録媒体であれば本発明を適用可能である。例えば可逆性の感熱紙を用いた場合には、テスト画像を消去してから所定画像を記録すればよい。また、可逆性の感熱紙を用いた場合には、サーマルヘッドに供給する熱量が画像記録条件となる。
【００９５】
（第２実施形態）
次に、本発明の第２実施形態について説明する。なお、上記実施形態と同一部分には同一符号を付し、その詳細な説明は省略する。
【００９６】
第２実施形態に係る画像形成装置は、第１実施形態で説明した画像形成装置１０と同一であるので、説明は省略する。
【００９７】
次に、本実施形態の作用として、制御部１２で実行される制御ルーチンについて図８に示すフローチャートを参照して説明する。なお、図６に示すフローチャートと同一の処理を行なうステップについては同一符号を付し、異なる部分について説明する。
【００９８】
本実施形態では、ステップ１００でカウンタＣを初期化し、ステップ１０２で画像記録媒体４０をセットした後、ステップ１０４Ａにおいて、テスト画像だけでなく、画像記録媒体４０に記録すべき所定画像も同時に記録する。
【００９９】
そして、ステップ１０８で全ての色の濃度が許容範囲内であると判断された場合には、ステップ１１０Ａにおいて、テスト画像のみ消去されるように記録装置１４を制御する。
【０１００】
このように、テスト画像及び所定画像を同時に記録するので、濃度が許容範囲内の場合にはテスト画像を消去するだけでよい。
【０１０１】
（第３実施形態）
次に、本発明の第３実施形態について説明する。なお、上記実施形態と同一部分には同一符号を付し、その詳細な説明は省略する。本実施形態では、画像記録媒体４０が識別符号としてのＩＤが記憶された記憶媒体を備えている場合について説明する。
【０１０２】
図９には、本実施形態に係る画像形成装置１１を示した。図９に示す画像形成装置１１は、読み取り手段としての読取部９９を備えている。その他の構成については図１に示す画像形成装置１０と同一であるので説明は省略する。
【０１０３】
画像記録媒体４０は、固有のＩＤが記憶された記憶媒体４０Ａを備えており、読取部９９は、記憶媒体４０Ａに記憶されたＩＤを例えば無線通信により非接触で読み取ることができる。
【０１０４】
また、詳細は後述するが、履歴記憶手段としてのメモリ３４には、過去の濃度測定の測定データがＩＤと関連付けられて履歴として記憶される。
【０１０５】
次に、本実施形態の作用として、制御部１２で実行される制御ルーチンについて図１０に示すフローチャートを参照して説明する。
【０１０６】
ステップ２００では、カウンタＣを初期化し、ステップ２０２では、画像記録媒体４０が格納部７６から配置スペース８２に配置されるように搬送機構２６を制御する。
【０１０７】
ステップ２０４では、セットされた画像記録媒体４０の記憶媒体４０Ａに記憶されたＩＤを読み取るように読取部９９を制御する。
【０１０８】
ステップ２０６では、読取ったＩＤに対応する過去の測定データがメモリ３４に存在するか否かが判断される。そして、過去の測定データが存在する場合には、ステップ２１０へ移行し、存在しない場合にはステップ２２４へ移行する。
【０１０９】
ステップ２１０では、過去の測定データ、すなわち履歴に基づいて画像記録条件が設定される。ここで、測定データとしては、測定した濃度値、画像記録条件、測定日時、温度、湿度等がある。
【０１１０】
このような測定データから画像記録条件を設定する。例えば、前回の画像記録条件を今回の画像記録条件に設定してもよいし、過去の画像記録条件の変化の傾向を求め、この傾向に基づいて今回の画像記録条件を求めて設定しても良い。一方、ステップ２２４では、予め定めた画像記録条件を設定する。
【０１１１】
そして、ステップ２１２では、設定された画像記録条件でテスト画像を画像記録媒体４０に記録する。
【０１１２】
ステップ２１４では、各濃度測定用パッチの濃度が検出部１８によって検出されるように検出部１８を制御する。
【０１１３】
次のステップ２１６では、測定した濃度が許容範囲内か否かを各濃度測定用パッチの各々について判定する。そして、各々測定した濃度が全て許容範囲内の場合にはステップ２１８へ移行し、測定した濃度が許容範囲外の色が存在する場合にはステップ２２６へ移行する。
【０１１４】
ステップ２１８では、画像記録媒体４０に記録すべき所定画像が画像記録媒体４０に記録されるように記録装置１４を制御する。
【０１１５】
次のステップ２２０では、タイマ２８によりそのときの日時を取得し、温度センサ３０によりそのときの温度を取得し、湿度センサ３２によりそのときの湿度を取得する。そして、これらのデータとそのときの画像記録条件、測定した濃度値等を測定データとして、ＩＤと関連付けてメモリ３４に記憶する。
【０１１６】
そして、ステップ２２２では、所定画像が記録された画像記録媒体４０が、正常な画像記録媒体４０が排出するための排出トレイ２２に排出されるように、経路切替機構９２及び排出機構２０を制御する。これにより、画像記録媒体４０が排出トレイ２２に排出される。
【０１１７】
一方、ステップ２２６では、カウンタＣが閾値以上か否かが判断され、カウンタＣが閾値以上の場合にはステップ２２８へ移行し、カウンタＣが閾値未満の場合には、ステップステップ２３０へ移行する。
【０１１８】
ステップ２２８では、画像記録媒体４０が寿命であると判断して、画像記録媒体４０がエラー用排出トレイ２４に排出されるように経路切替機構９２及び排出機構２０を制御する。これにより、寿命の画像記録媒体４０がエラー用排出トレイ２４に排出される。そして、ステップ２００へ戻り、別の画像記録媒体について上記と同様の処理を行なう。
【０１１９】
一方、ステップ２３０では、画像記録条件、すなわち光出力デバイス５２から出力される光の光量及び電圧印加手段６６が出力する電圧の電圧値を調整する。すなわち、測定した濃度が許容範囲よりも低い場合には、濃度が高くなるように光出力デバイス５２から出力される光の光量及び電圧印加手段６６が出力する電圧の電圧値を調整し、測定した濃度が許容範囲よりも高い場合には、濃度が低くなるように光出力デバイス５２から出力される光の光量及び電圧印加手段６６が出力する電圧の電圧値を調整する。
【０１２０】
ステップ２３２では、カウンタＣをインクリメントし、ステップ２１２へ戻る。これにより、新たな画像記録条件でテスト画像が記録され、上記と同様の濃度測定が行なわれる。そして、全ての色の濃度が許容範囲内になった場合には画像記録媒体４０が排出トレイ２２に排出され、何れか１つの色でも濃度が許容範囲外になった場合には、画像記録媒体４０はエラー用排出トレイ２４に排出される。
【０１２１】
このように、過去の測定データに基づいて画像記録条件を設定するので、最適な画像記録条件を速やかに設定することができ、装置のスループットを向上させることができる。
【０１２２】
なお、上記では測定データを装置側のメモリ３４に記憶するようにしているが、画像記録媒体４０の記憶媒体４０Ａに記憶するようにしてもよい。この場合、記憶媒体４０Ａから過去の測定データを読み取り、この測定データに基づいて画像記録条件を設定すればよい。また、記憶媒体４０Ａの記憶容量が少ない場合には、前回の測定データのみを記憶媒体４０Ａに記憶するようにしてもよい。この場合、記憶媒体４０Ａに記憶された画像記録条件を今回の画像記録条件として設定すればよい。
【０１２３】
また、テスト画像と所定画像を同時に記録するようにし、濃度が許容範囲内となった場合にはテスト画像を後で消去するようにしてもよい。
【０１２４】
（第４実施形態）
次に、本発明の第４実施形態について説明する。なお、上記実施形態と同一部分には同一符号を付し、その詳細な説明は省略する。本実施形態では、
第４実施形態に係る画像形成装置は、第３実施形態で説明した画像形成装置１１と同一であるので、説明は省略する。
【０１２５】
次に、本実施形態の作用として、制御部１２で実行される制御ルーチンについて図１１に示すフローチャートを参照して説明する。なお、図１０に示すフローチャートと同一の処理を行なうステップについては同一符号を付し、異なる部分について説明する。
【０１２６】
ステップ２０２で画像記録媒体４０がセットされ、ステップ２０２で画像記録媒体４０の記憶媒体４０ＡからＩＤが読み取られ、ステップ２０６でそのＩＤに対応する過去の測定データがメモリ３４に存在するか検索され、ステップ２０８で過去の測定データが存在するか否かが判定される。
【０１２７】
過去の測定データがメモリ３４に存在するか否かが判断される。そして、過去の測定データが存在する場合には、ステップ２１０Ａにおいて、過去の測定データに基づいて複数の異なる画像記録条件が設定される。例えば、前回の画像記録条件を中心にその他の画像記録条件を設定してもよいし、過去の画像記録条件の変化の傾向を求め、この傾向に基づいて最適と思われる画像記録条件を求め、これを中心に他の画像記録条件を設定しても良い。一方、過去の測定データが存在しない場合には、ステップ２２４Ａにおいて、予め定めた複数の画像記録条件が設定される。
【０１２８】
そして、ステップ２１２では、設定された複数の画像記録条件のうち選択された１つの画像記録条件でテスト画像を画像記録媒体４０に記録する。
【０１２９】
ステップ２１４では、各濃度測定用パッチの濃度が検出部１８によって検出されるように検出部１８を制御する。
【０１３０】
次のステップ２１５では、設定された全ての画像記録条件で濃度測定したか否かが判定され、全ての画像記録条件で濃度測定した場合にはステップ２１７へ移行し、まだ濃度測定していない画像記録条件が存在する場合には、ステップ２１９へ移行する。
【０１３１】
ステップ２１９では、画像記録条件を測定済みの画像記録条件以外の未測定の画像記録条件に変更し、ステップ２１２へ移行する。これにより、別の画像記録条件でテスト画像が記録され、濃度が測定される。これを設定された全ての画像記録条件で濃度測定するまで繰り返す。
【０１３２】
そして、設定された全ての画像記録条件で濃度測定が行なわれると、ステップ２１７において、測定した各々の濃度のうち許容範囲内となるものが存在するか否かが判定される。許容範囲内となる濃度が存在する場合には、ステップ２１８へ移行し、存在しない場合にはステップ２２８へ移行する。
【０１３３】
ステップ２１８では、濃度が許容範囲内となる画像記録条件で、所定画像が画像記録媒体４０に記録されるように記録装置１４を制御する。なお、濃度が許容範囲内となる画像記録条件が複数存在する場合には、その中で最も最適な濃度となる画像記録条件を採用する。
【０１３４】
次のステップ２２０では、タイマ２８によりそのときの日時を取得し、温度センサ３０によりそのときの温度を取得し、湿度センサ３２によりそのときの湿度を取得する。そして、これらのデータとそのときの画像記録条件、測定した濃度値等を測定データとして、ＩＤと関連付けてメモリ３４に記憶する。
【０１３５】
そして、ステップ２２２では、所定画像が記録された画像記録媒体４０が、正常な画像記録媒体４０が排出するための排出トレイ２２に排出されるように、経路切替機構９２及び排出機構２０を制御する。これにより、画像記録媒体４０が排出トレイ２２に排出される。
【０１３６】
ステップ２２８では、画像記録媒体４０が寿命であると判断して、画像記録媒体４０がエラー用排出トレイ２４に排出されるように経路切替機構９２及び排出機構２０を制御する。これにより、寿命の画像記録媒体４０がエラー用排出トレイ２４に排出される。そして、ステップ２０２へ戻り、別の画像記録媒体について上記と同様の処理を行なう。
【０１３７】
このように、過去の測定データに基づいて複数の画像記録条件を設定して濃度測定し、この中から最適な画像記録条件を選択して画像を記録するので、濃度が許容範囲内になるまで画像記録条件を変更する場合と比較して速やかに最適な画像記録条件を設定することができる。このため、装置のスループットをさらに向上させることができる。
【０１３８】
なお、上記では測定データを装置側のメモリ３４に記憶するようにしているが、画像記録媒体４０の記憶媒体４０Ａに記憶するようにしてもよい。この場合、記憶媒体４０Ａから過去の測定データを読み取り、この測定データに基づいて複数の画像記録条件を設定すればよい。また、記憶媒体４０Ａの記憶容量が少ない場合には、前回の測定データのみを記憶媒体４０Ａに記憶するようにしてもよい。この場合、記憶媒体４０Ａに記憶された画像記録条件を中心に複数の画像記録条件を設定すればよい。
【０１３９】
また、テスト画像と所定画像を同時に記録するようにし、濃度が許容範囲内となった場合にはテスト画像を後で消去するようにしてもよい。
【０１４０】
【発明の効果】
以上説明したように、本発明によれば、可逆性の画像記録媒体に最適な画像記録条件で画像を記録し、良好な画質を維持することができる、という優れた効果を有する。
【図面の簡単な説明】
【図１】画像形成装置の概略構成図である。
【図２】画像記録媒体の断面図である。
【図３】記録装置の概略構成図である。
【図４】記録装置の概略構成図である。
【図５】画像形成装置の搬送経路について説明するための図である。
【図６】第１実施形態に係る制御ルーチンのフローチャートである。
【図７】濃度測定用パッチを示す図である。
【図８】第２実施形態に係る制御ルーチンのフローチャートである。
【図９】第３実施形態に係る画像形成装置の概略構成図である。
【図１０】第３実施形態に係る制御ルーチンのフローチャートである。
【図１１】第４実施形態に係る制御ルーチンのフローチャートである。
【符号の説明】
１０、１１     画像形成装置
１１ 画像形成装置
１２ 制御部
１４ 記録装置
１６ 入力部
１８ 検出部
２０ 排出機構
２２ 排出トレイ
２４ エラー用排出トレイ
２６ 搬送機構
２８ タイマ
３０ 温度センサ
３２ 湿度センサ
３４ メモリ
４０ 画像記録媒体
４０Ａ    記憶媒体
５２ 光出力デバイス
５６ 光出力デバイス制御部
５８ バックライト
６０ バックライト制御回路
６６ 電圧印加手段
９９ 読取部
【図１】
2004195771.tif 000003
【図２】
2004195771.tif 000004
【図３】
2004195771.tif 000005
【図４】
2004195771.tif 000006
【図５】
2004195771.tif 000007
【図６】
2004195771.tif 000008
【図７】
2004195771.tif 000009
【図８】
2004195771.tif 000010
【図９】
2004195771.tif 000011
【図１０】
2004195771.tif 000012
【図１１】
2004195771.tif 000013